(57)【要約】【課題】  合計重量が予め定めた目標重量に等しいか最も近い重量になるように組合せ計量する組合せ秤を用いた計量包装システムにおいて、組合せ秤と包装機の間に位置するトランジションファネル内での詰まりを解消すること。【解決手段】  計量包装システムにおいて、組合せ秤と包装機との間に位置するトランジションファネルの形状が逆円錐台形状であって左右非対称であり、該左右非対称の傾斜部と垂直な円形の筒上部との接続部分の円周方向の接続開始位置が円周方向に従って異なり、該異なる接続位置の軌跡が水平面に対して所定の角度を有し、該接続位置近傍に空気抜き用の複数の孔を設け、該トランジションファネルの内面に分散板を着脱自在に装着し、ステンレススチール板エンボス材を内側面に凸となるように使用する。【選択図】  図３
0003161689.tif 000002
【実用新案登録請求の範囲】
【請求項１】
組合せ秤と包装機が連動して作動する計量包装システムにおいて、組合せ秤の集合シュートの下部に位置し、該集合シュートと包装機の上部供給口との間に設けられ、上記集合シュートの出口の径より大きい円形の受け入れ口と、上記包装機の上部供給口の径より小さい円形の排出口を有する逆円錐台形状であり、該逆円錐台形状の中間部から下方に向かって垂直な円形の筒状部をなした漏斗状のトランジションファネルであって、更に該トランジションファネルの逆円錐台形状が左右非対称の傾斜部（内傾斜）を有し、該左右非対称の傾斜部（内傾斜）と上記垂直な円形の筒上部との接続部分の円周方向の接続開始位置が円周方向に従って異なり、該異なる接続位置の軌跡が水平面に対して所定の角度を有する組合せ秤のトランジションファネル。
【請求項２】
上記漏斗状のトランジションファネルは、上記逆円錐台形状と上記垂直な円形の筒状部とその接続部分の近傍に空気抜き用の孔を複数設けたことを特徴とする請求項１に記載の組合せ秤のトランジションファネル。
【請求項３】
上記漏斗状のトランジションファネルの内傾斜部に物品を該トランジションファネル内で分散させる分散板を設けたことを特徴とし、該分散板はトランジションファネルの下部円形排出口の径と同等の幅を有し、該分散板の下方先端部はトランジションファネルの下部円形排出口の半径と同等の切り欠き部を有し、上記トランジションファネルの内傾斜に沿って折り曲げられ、該トランジションファネルの上部鍔（フランジ）部に着脱自在に装着したことを特徴とする請求項１および２に記載の組合せ秤のトランジションファネル。
【請求項４】
上記漏斗状のトランジションファネルおよび上記分散板は、製作素材がステンレススチールの菱形エンボス板材であって、該菱形エンボス素材の凸部が内側面で該菱形エンボス板の長手方向が上記トランジションファネルの垂直方向となるように加工されることを特徴とする請求項１、２および３に記載の組合せ秤のトランジションファネル。
【考案の詳細な説明】
【技術分野】
【０００１】
この考案は、食品用の棒状菓子やポテトチップスなどを計量して、その合計重量が予め定めた目標重量に等しいか最も近い重量となるように組合せ計量をする組合せ秤を用いた計量包装システムにおいて、組合せ秤と包装機の間に設けるトランジションファネル関するものである。
【背景技術】
【０００２】
従来の計量包装システムとしては図２に示すように上部には組合せ秤１０、下部には包装機２０を配した構成であって、組合せ秤と包装機のつなぎ目のパーツ７をトランジションファネル７と称している。
【０００３】
ところで、組合せ秤１０は上部中央に分散フィーダ２、その分散フィーダ２の周囲に放射状に設けられた複数の直進フィーダ３、その直進フィーダ３の各々に対応して該フィーダのトレイ先端より供給される物品を一時貯留する複数の供給ホッパ（溜ホッパ）４と、その供給ホッパ（溜ホッパ）４の各々の下部に対応して設けられた複数の計量ホッパ５と、その計量ホッパ５から排出された物品を下部中央に集める集合シュート６により構成されている。
【０００４】
例えば図１に示す計量包装システム３０では、バケットコンベヤ１によって搬送された物品は分散フィーダ２上に一定の層厚で供給される。当該物品は分散フィーダ２の振動によりその周辺に運ばれ、放射状に設けられた直進フィーダ３上に供給される。直進フィーダ上の物品は選択的に供給ホッパ（溜ホッパ）４に供給されその下部に位置する計量ホッパ５へと供給される。
【０００５】
計量ホッパ５に供給された物品はそれぞれ計量される。それらの計量値は記憶され、記憶された計量値を組合せ演算して目標重量値に等しいか最も近い組合せ重量値を得るものである。
【０００６】
組合せ秤と包装機で構成された計量包装システム３０では、包装機からの排出指令信号により組合せ秤から包装機へ組合せ重量物品を一挙に排出する訳であるが、組合せ演算の結果得られた組合せ重量物品を余すところなく包装機へと移送しなければならない。
【０００７】
包装機内にはフォーミングチューブ２０がある。このフォーミングチューブと称する筒を包むように巻き付けた包材に計量された物品を投入し、その包材は熱シールされる。この間は僅か1秒又はそれ以下の極めて短時間の工程である。このような短時間の工程において、当該物品がトランジションファネル内を移送中に詰まったり、また詰まらなくても物品の中に移送遅れの物品があると完全な包装ができなくなりシール不良が生じる。
【０００８】
シール不良の発生をなくすためにはトランジションファネル内を通過する時間に充分余裕を設けることである。しかし近年の計量包装システムでは短時間で処理をする高速処理化が要望されている。特許文献１には、被計量物が集合シュートを通過するとき詰まることが記載されている。また特許文献２には、集合シュートを通過する経路が長くなると計量サイクルに必要な時間が長くなることが記載されている。
【先行技術文献】
【特許文献】
【０００９】
【特許文献１】特開２００２−１６２２８９号公報
【特許文献２】特開２００８−１３３１１３号公報
【考案の概要】
【考案が解決しようとする課題】
【００１０】
上述のように従来のトランジションファネルでは、特に物品が塊となって落下する場合、トランジションファネルの出口付近やフォーミングチューブ内で詰まってしまうことがある。物品が詰まる原因は、塊になりやすい物品であってフォーミングチューブ径とほぼ同じ塊になる場合、また、塊となった物品がトランジションファネルからフォーミングチューブに移行する際、物品の落下に伴ってフォーミングチューブ内の空気が圧縮され、それが抵抗となり物品の落下速度を阻害して最終的に詰まる。更に、物品自身に多少の粘着性があるものは摩擦係数が大きく滑りにくく詰まりやすい。
【課題を解決するための手段】
【００１１】
本考案はこのような課題を解決するものである。即ち、組合せ秤と包装機が連動して作動する計量包装システムにおいて、組合せ秤の集合シュートの下部に位置し、該集合シュートと包装機の上部供給口との間に設けられ、上記集合シュートの出口の径より大きい円形の受け入れ口と、上記包装機の上部供給口の径より小さい円形の排出口を有する逆円錐台形状であり、該逆円錐台形状の中間部から下方に向かって垂直な円形の筒状部をなした漏斗状のトランジションファネルであって、更に該トランジションファネルの逆円錐台形状が左右非対称の傾斜部（内傾斜）を有し、該左右非対称の傾斜部（内傾斜）と上記垂直な円形の筒上部との接続部分の円周方向の接続開始位置が円周方向に従って異なり、該異なる接続位置の軌跡が水平面に対して所定の角度を有する組合せ秤のトランジションファネルである。
【００１２】
また本考案の上記漏斗状のトランジションファネルは、上記逆円錐台形状と上記垂直な円形の筒状部とその接続部分の近傍に空気抜き用の複数の孔を設けたことを特徴としている。
【００１３】
更に、上記漏斗状のトランジションファネルの内傾斜部に物品を該トランジションファネル内で分散させる分散板を設けている。この分散板はトランジションファネルの下部円形排出口の径とほぼ同等の幅を有し、該分散板の下方先端はトランジションファネルの下部円形排出口の半径と同等の切り欠き部を有し、上記内傾斜に沿って折り曲げられた形状でトランジションファネルの上部鍔（フランジ）部に着脱自在に装着したことを特徴としている。
【００１４】
そして、本考案の上記漏斗状のトランジションファネルは、製作素材がステンレススチールの菱形エンボス板材であって、該菱形エンボス素材の凸部が内側で該菱形の長手方向が上記トランジションファネルの垂直方向となるように加工されることを特徴としている。
【考案の効果】
【００１５】
本考案は上述したような構成を有しているので、物品が塊となることなく分散してフォーミングチューブ内に素早く排出できる。また、トランジションファネルに空気抜き用孔を設けることにより物品の通過を妨げる空気抵抗を低減することができる。また、ステンレススチールで菱形エンボス材であるので物品が付着しにくい。従って、物品が該トランジションファネル内を素早く通過するので包装機でのシール不良の発生がなく計量包装システムにおける処理能力を向上させることができる。
【図面の簡単な説明】
【００１６】
【図１】計量包装システム。
【図２】組合せ秤と包装機との関係図。
【図３】本考案のトランジションファネル。
【図４】本考案の分散板詳細図。
【考案を実施するための形態】
【００１７】
以下、図面に従って本考案の実施の形態について説明する。
【実施例】
【００１８】
図１および図２は計量包装システムを示すものである。この実施形態の計量包装システムにおいて、１はバケットコンベヤ、２は分散フィーダ、３は直進フィーダ、４は供給ホッパ、５は計量ホッパ、６は集合シュート、７はトランジションファネル、１０は組合せ秤、２０は包装機、２５は架台、である。計量包装システムを３０で示す。
【００１９】
この計量包装システムは以下のように作動する。物品（図示していない）がバケットコンベヤ１により組合せ秤の分散フィーダ２上に運ばれる。分散フィーダ２上運ばれた物品は分散フィーダの振動により放射状に分散移動して、分散フィーダ２の周囲に放射状に位置する複数の直進フィーダ３へ送られる。放射状に設けられた複数の直進フィーダの先端まで送られた物品は直進フィーダ毎に対応して設けられた複数の供給ホッパ４に供給される。供給ホッパ４に移送された物品は供給ホッパ４の下方に設けられた複数の計量ホッパ５に移送される。複数の計量ホッパ５には図示していないが重量検出装置がそれぞれ装備されおり、計量ホッパ５内の物品はそれぞれ計量され重量値が記憶される。
【００２０】
組合せ秤では、複数の計量ホッパに投入されている物品の重量値を種々組合せ演算して目標重量に等しいか最も近い重量値を得るものである。例えば、10個の計量ホッパの計量値から4個の重量値を選択して、その合計重量が目標重量値となる場合は、10Ｃ4の組合せ演算を行い、得られた重量値は複数の計量ホッパにより構成されている。そしてこの選択された複数の計量ホッパの中の物品は包装機２０からの排出信号により一斉に排出され、集合シュート６および６ａでもって集合されトランジションファネル７を通過して包装機のフォーミングチューブ２１内に移送される。
【００２１】
図３は本考案のトランジションファネル７である。図３において（ａ）を正面図とすると（ｂ）はその側面図である。７ａは上部円形の受け入れ口、７ｂは下部円形排出口である。本トランジションファネルは図（ａ）においては説明上の中心線７ｄに対して左右対称７ｅである。図（ｂ）においては説明上の中心線７ｄに対して左側傾斜部７ｆの傾斜角Ｂと右側傾斜部７ｇの傾斜角Ａは異なっており全体として逆円錐台形状をした漏斗状をなしている。そして、上記漏斗上部と垂直な円形の筒上部９との接続部分の円周方向の接続開始位置が円周方向に従って異なっている。７ｃは上記接続位置が円周方向に従って異なっている接続部分を示している。８は上記接続部分７ｃの近傍に設けた空気抜き用の孔である。当該孔の大きさは物品の形状や大きさによって異なるが、例えば物品がポテトチップスなどにおいてはおよそ10mm径が望ましい。７ｈは菱形エンボス模様であって内側に凸状であることを示している。該トランジションファネルの材質はステンレススチールによって製作されることが望ましい。
【００２２】
図３に示す７Ｊは分散板である。この分散板は前述した漏斗状のトランジションファネル７内の所定位置に着脱自在に設けることにより該トランジションファネル内に落下してきた物品を分散させ塊をほぐす効果をもたらすものである。図４にその詳細を示す。
【００２３】
図４において、７ｄは該トランジションファネルの中心線、（ａ）は分散板の平面図、（ｂ）は（ａ）の分散板の平面図Ｘ−Ｘより見た分散板の断面図である。この分散板は、上述したトランジションファネルの下部円形排出口７ｂと同等の幅であって、上部に該トランジションファネルの鍔（フランジ）部７ｍに着脱自在に装着できるようにエッジを折り曲げた係止部７ｋを設けている。また、該トランジションファネルの傾斜にほぼ沿う形に折り曲げた形状であって、その下方先端は前述したトランジションファネルの下部円形排出口７ｂの半径と同等のＲで切り欠いたほぼ半円形の切り欠き部を有する形状である。また本分散板はステンレススチールによって製作されることが望ましい。
【産業上の利用可能性】
【００２４】
本考案のトランジションファネルは詰まりやすい物品の計量包装を行う場合、上部に計量機を設け下部に包装機または充填機などを配した計量充填包装システムにおいて有効である。
【符号の説明】
【００２５】
１  バケットコンベヤ
２  分散フィーダ
３  直進フィーダ
４  供給ホッパ
５  計量ホッパ
６  集合シュート
７  トランジションファネル
８  空気抜き用孔
９  円形の筒上部
１０  組合せ秤
２０  包装機
３０  計量包装システム
【図１】
0003161689.tif 000003
【図２】
0003161689.tif 000004
【図３】
0003161689.tif 000005
【図４】
0003161689.tif 000006